(57)【特許請求の範囲】
【請求項１】
眼内レンズを送り込む装置を製造する方法であって、
ハウジング(202,204)(402,404)と前記ハウジング内のレンズ圧縮器(210,240)(410,440)とを提供するステップと、
前記ハウジング、プランジャ(290,490)および前記レンズ圧縮器を含むインジェクタ(200,400)を組み立てるステップと、を具備し、
前記レンズ圧縮器が作動すると前記レンズ(100,120)が圧縮されるように、前記眼内レンズ(100,120)を前記ハウジング(202,204)(402,404)内に位置決めするステップと、
(i)前記ハウジング、前記プランジャおよび前記レンズ圧縮器を含めた前記インジェクタ(200,400)および(ii)前記ハウジング内に配置された前記眼内レンズ(100,120)を合わせて単一ユニットとして殺菌するステップと、を含む方法。
【請求項２】
前記ハウジング、前記レンズ圧縮器、および前記眼内レンズ(100,120)を含めた前記インジェクタ(200,400)を包装するステップをさらに含む請求項1に記載の方法。
【請求項３】
前記インジェクタ(200,400)を殺菌するステップが、前記インジェクタを包装するステップの後に実施される請求項2に記載の方法。
【請求項４】
前記眼内レンズ(100,120)が二つの視要素を有する調節可能レンズ(120)である請求項1に記載の方法。
【請求項５】
実質的に整列した個々の光軸を備えた第1および第2の視要素を有する眼内レンズを操作する装置であって、
前記装置は、
前記第1および第2の視要素(122,124)に係合する第1および第2の表面(212,242)(412,442)(550,552)を有するレンズ圧縮器と、
前記レンズ圧縮器の前部に配置されたノズルと、
アクチュエータと、
前記アクチュエータと関連付けられた少なくとも一つのガイド部材と、を具備してなり、
前記少なくとも一つのガイド部材は、前記視要素の個々の光軸(OA1,OA2)が互いに対して変位させられ、かつ、前記光軸に沿った前記レンズの全高が低減され、第1の経路が前記ガイド部材によって画定されるよう、前記視要素を相対的に移動させるために、概ね前記前部に向う移動のために方向付けられた前記第1の経路に沿った相対的スライド動作のために前記アクチュエータと協働するようになっている装置。
【請求項６】
前記第1および第2の視要素(122,124)の少なくとも一方が、屈折力を有する光学部を含む請求項5に記載の装置。
【請求項７】
前記第1および第2の表面の少なくとも一方が、前記装置の射出軸(A-A)に概ね平行な第1の方向と前記射出軸(A-A)に概ね直交する第2の方向とに移動可能に構成されている請求項5に記載の装置。
【請求項８】
前記圧縮器は、前記視要素が、対向する第2の圧縮要素(210,410)を背にして圧縮されるよう、前記光軸が変位させられる間に、前記視要素に力を加える可動型の第1の圧縮要素(240,440)をさらに含んでいる請求項5に記載の装置。
【請求項９】
前記第1および第2の圧縮要素の少なくとも一方は、前記第1の経路とは異なる第2の経路に沿って、前記第1および第2の圧縮要素の他方に対して移動可能に構成されている請求項8に記載の装置。
【請求項１０】
前記第1の圧縮要素(240,440)が、前記装置の射出軸(A-A)に概ね平行な第1の方向と前記射出軸(A-A)に概ね直交する第2の方向とに移動可能に構成されている請求項8に記載の装置。
【請求項１１】
無菌パッケージと、
前記パッケージ内に配置されたインジェクタ(200,400)と、を含む装置であって、前記インジェクタが、ハウジング(202,204)(402,404)と、前記ハウジング内に配置されたレンズ圧縮器(210,240)(410,440)と、前記インジェクタから眼内レンズ(120)を動かすためのプランジャ(290,490)と、を含んでおり、前記眼内レンズが、前記無菌パッケージ内に配置されかつ前記レンズ圧縮器内で前記無菌パッケージ内に位置決めされた調節可能眼内レンズ(120)であり、この結果として、使用時に、前記レンズ(120)は、前記レンズ圧縮器(210,240)(410,440)が作動すると圧縮される装置。
【請求項１２】
前記眼内レンズは、屈折力を有する前部光学部(122)および屈折力を有する後部光学部(124)を有する調節可能眼内レンズ(120)を形成する請求項11に記載の装置。
【請求項１３】
前記調節可能眼内レンズ(120)が、相互連結された第1および第2の視要素(122,124)を含む請求項11に記載の装置。
【請求項１４】
前記レンズ圧縮器が、前記眼内レンズに接触する、前記インジェクタの射出軸(A-A)に概ね平行な第1の方向と前記射出軸(A-A)に概ね直交する第2の方向とに移動可能に構成された圧縮要素(240,440)を含む請求項11に記載の装置。
【請求項１５】
眼内レンズを送り込む装置であって、
レンズ圧縮器(210,240)(410,440)と、
前記レンズ圧縮器と連係する送出プローブ(206,406)であって、送出軸(A-A)を画定する送出プローブと、を具備し、
前記レンズ圧縮器が作動すると前記レンズが圧縮されるよう、前記眼内レンズ(100,120)が前記レンズ圧縮器内に配置されると共に位置決めされ、
さらに前記レンズ圧縮器が、前記眼内レンズに接触する、前記送出軸(A-A)に概ね平行な第1の方向と前記送出軸(A-A)に概ね直交する第2の方向とに移動可能に構成された圧縮要素(240,440)を含む装置。
【請求項１６】
前記眼内レンズが調節可能眼内レンズ(120)を具備してなる請求項15に記載の装置。
【請求項１７】
前記調節可能眼内レンズが、相互連結された第1および第2の視要素(122,124)を含む請求項16に記載の装置。
【請求項１８】
前記レンズ圧縮器(210,240)(410,440)および送出プローブ(206,406)を取り囲む無菌パッケージをさらに含む請求項15に記載の装置。
【発明の詳細な説明】
【技術分野】
【０００１】
本願は、米国特許法(35U.S.C.)119(e)条に基づき、2003年2月14日出願の米国仮特許出願第60/448,190号、名称「METHOD AND DEVICE FOR FOLDING AN ACCOMMODATING INTRAOCULAR LENS」の利益を請求する。上記仮特許出願の内容全体を参照により本願に援用し、本明細書の一部とする。
【０００２】
本明細書に開示の様々な実施形態は、患者の眼の中に眼内レンズを挿入することに関し、さらに、眼内レンズを挿入のために準備し、かつ挿入自体を実現する方法およびデバイスに関する。
【背景技術】
【０００３】
人工眼内レンズは、しばしば、自然の水晶体を置き替え、または補うために埋め込まれる。そのようなレンズは、天然のレンズが白内障を発症し、または弾力性を失って老眼の状態を引き起こしている場合に埋め込まれる。眼内レンズを丸める、もしくは折り畳むため、かつ/または、丸められた、もしくは折り畳まれたレンズを、小さな切開創を通じて患者の眼に埋め込むのを支援するための、埋込みデバイスが開発されてきた。
【特許文献１】米国仮特許出願第60/448,190号明細書
【特許文献２】米国特許出願公開第2002/0107568号明細書
【特許文献３】米国特許出願公開第2003/0074060号明細書
【発明の開示】
【発明が解決しようとする課題】
【０００４】
しかし、これら公知の埋込みデバイスには様々な欠点があり、その多くを本明細書に開示の特定の諸実施形態によって対処する。
【課題を解決するための手段】
【０００５】
本発明の一態様は、眼内レンズを圧縮する装置である。当該装置は、レンズ圧縮器を含んでおり、当該レンズ圧縮器が、眼内レンズをほぼ無応力状態で保持する第1の形態と、圧縮器がレンズに応力を加えて、圧縮器の射出軸に沿ってレンズを前進させずに当該レンズを少なくともいくらか圧縮された状態にする第2の形態と、を有する。圧縮器は、これを、レンズの光軸に概ね直交する方向に圧縮力を加えることによって達成する。圧縮器は、ユーザがそれを動かして当該圧縮器を第1の形態から第2の形態へと変化させることが可能な圧縮器作動装置に応答する。
【０００６】
本発明の他の態様は、眼内レンズを眼の中に送り込む方法である。当該方法は、殺菌されたハウジング内の眼内レンズを提供するステップと、ハウジングを開けることなく眼内レンズを眼の中に放出するステップとを含む。一実施形態では、眼内レンズに調節可能眼内レンズ(accommodating intraocular lens)を含めることができる。
【０００７】
本発明の他の態様は、調節可能眼内レンズを圧縮する方法である。当該方法は、チャンバ内の調節可能眼内レンズを非圧縮状態で提供するステップと、チャンバ壁の一部分を相対的に移動させて当該チャンバの形状を変化させることによって調節可能眼内レンズを圧縮するステップとを含む。
【０００８】
本発明の他の態様は、眼内レンズを送り込む装置を製造する方法である。当該方法は、ハウジングとハウジング内のレンズ圧縮器とを提供するステップと、レンズ圧縮器が作動すると眼内レンズが圧縮されるように、当該眼内レンズをハウジング内に位置決めするステップとを含む。当該方法は、さらに、ハウジングおよびレンズ圧縮器を含めたインジェクタを組み立てるステップと、ハウジング、レンズ圧縮器、および眼内レンズを含めたインジェクタを、合わせて単一ユニットとして殺菌するステップとを含む。
【０００９】
本発明の他の態様は、ほぼ位置合わせされた光軸をそれぞれ備えた第1および第2の視要素(viewing element)を有する調節可能眼内レンズを操作する装置である。当該装置は、第1および第2の視要素に係合する第1および第2の表面を有するレンズ圧縮器を含む。これらの表面を互いに対して相対的に移動させて、視要素を相対的に移動させ、その結果として光軸を互いに対して相対的に変位させることが可能である。
【００１０】
本発明の他の態様は、ほぼ位置合わせされた光軸をそれぞれ備えた第1および第2の視要素を有する調節可能眼内レンズを操作する装置である。当該装置は、第1および第2の視要素に係合する第1および第2の表面を有するレンズ圧縮器を含む。これらの表面を互いに対して相対的に移動させて、視要素を相対的に移動させ、その結果として光軸を互いに対して相対的に変位させることが可能である。圧縮器は、光軸が変位する間に視要素に力を加える可動型の第1の圧縮要素をさらに含んでいて、視要素が、対向する第2の圧縮要素を背にして圧縮される。
【００１１】
本発明の他の態様は、無菌パッケージと、パッケージ内に配置されたインジェクタとを含む装置である。インジェクタは、ハウジングと、ハウジング内に配置されたレンズ圧縮器と、レンズ圧縮器内に配置された眼内レンズとを含んでおり、当該眼内レンズが、レンズ圧縮器が作動すると当該眼内レンズが圧縮されるように位置決めされる。
【００１２】
本発明の他の態様は、眼内レンズを送り込む装置である。当該装置は、レンズ圧縮器を含む。眼内レンズは、レンズ圧縮器内に配置され、レンズ圧縮器が作動すると当該レンズが圧縮されるように位置決めされる。当該装置は、レンズ圧縮器と連通する送出プローブをさらに含む。送出プローブは、送出軸を画定する。レンズ圧縮器は、眼内レンズに接触する、射出軸に概ね平行な第1の方向と射出軸に概ね直交する第2の方向とに移動可能な圧縮要素を含む。
【００１３】
前述の態様および実施形態は、すべて、本明細書に開示の本発明の範囲内にあるものとする。本発明の前述および他の実施形態は、以下の、添付図に関する好ましい諸実施形態の詳細な説明から当業者には容易に明らかになるが、本発明は、開示される特定の好ましい実施形態だけに限定されない。
【００１４】
ここまでに本発明の全般的内容を要約したが、特定の好ましい諸実施形態およびその改変は、添付図に関する本明細書の詳細な説明から当業者には明らかになる。
【発明を実施するための最良の形態】
【００１５】
図1および図2は、生来の水晶体を置き換え、または補うために、ヒトもしくは動物の眼の中に埋め込むのに適した、公知の2つのタイプの眼内レンズ(「IOLs: intraocular lenses」)を示す。IOLは、例えば、生来のレンズが白内障を発症し、または弾力性を失って老眼の状態を引き起こしているときに、埋め込むことができる。
【００１６】
図1は、2つまたはそれ以上の触角状部104,106が連結された光学部102を含む、従来の単レンズIOL100の正面図である。光学部102は、通常、自然のレンズの光学性能に置き換わるように、または当該光学性能を調節するように選択された屈折力を有する。触角状部104,106は、光学部を適切な場所(例えば、毛様体小帯(ciliary capsule)、または角膜と虹彩との間)で固定する、スプリング状部材を含む。IOL100は、光学部に概ね直交する、光学部の中心にある光軸を有しており、したがって図1では、光軸が点として描かれている。加えて、IOL100は、光軸に直交し、任意に選ばれたIOL100の上下の点を通る交軸と、光軸および交軸に直交し、任意に選ばれたIOL100の左右の点を通る横軸とを有する(光軸が眼自体の光軸とほぼ一致する限り、眼の中でIOL100を様々な向きで使用できるので、上、下、左、および右位置は、「任意に選ばれた」と言われる)。
【００１７】
図2は、2つまたはそれ以上の付勢部材(biasing member)126,128によって相互連結された第1および第2の視要素122,124を含む、デュアルレンズもしくは複レンズIOL120の側面図である。視要素122,124の一方または両方に、屈折力を有する光学部を含めることができる。このタイプのIOLは、通常、付勢部材が、視要素122,124の一方を毛様体小帯の前方の領域に当てて維持し、視要素122,124の他方を毛様体小帯の後方の領域に当てて維持するように、毛様体小帯に埋め込まれる。付勢部材126,128は、遠近調節の間に起こる毛様体小帯の形状の変化に応答して視要素122と124との間隔を変化させる、スプリング状の特性を有するように構成することができる。
【００１８】
単レンズIOL100と同様に、複レンズIOL120は、図2に示されるように配置された、光軸と、交軸と、横軸とを有する。図2に示した無応力形態では、個々の視要素122,124の光軸が、IOL120自体の光軸とほぼ一致する。ただし、後述するように、IOL120の圧縮の間に、個々の視要素122,124の光軸を、一致しなくする、または同軸でなくすることができる。
【００１９】
様々なタイプの複レンズIOLが、2002年8月8日公開の米国特許出願公開第2002/0107568号、名称「ACCOMMODATING INTRAOCULAR LENS SYSTEM」、ならびに、2003年4月17日公開の米国特許出願公開第2003/0074060号、名称「METHOD OF PREPARING AN INTRAOCULAR LENS FOR IMPLANTATION」に開示されている。上記特許出願公開の内容全体を、参照により本願に援用し、本明細書の一部とする。
【００２０】
眼内レンズは、通常、初めにIOLを折り畳み、または丸めることによって、(本来の自然なレンズの除去後に)埋め込まれる。次いで、折り畳まれた/丸められたIOLは、角膜、強膜、および/または毛様体小帯に作られた1つもしくは複数の切開創に当該IOLを通すことによって、眼の中の所望の場所に挿入される。適所に置かれたら、IOLの固有の復元力が、いくらかまたは完全に、当該IOLを丸められていない/折り畳まれていない元の状態に戻し、その後、IOLが、所望するように患者の視力を改善する働きをすることができる。
【００２１】
図3〜図20は、眼内レンズを圧縮かつ/または挿入する装置200の一実施形態を示す。図に示された装置200(ならびに、本明細書で図示され、かつ/もしくは記載される他の諸実施形態)は、これだけに限定されるものではないが、図1もしくは図2に描かれたタイプのIOL、前述の公開文献に記載のIOL、またはいずれか適切な単レンズもしくは複レンズIOLを含めた眼内レンズを圧縮かつ/もしくは挿入するために使用できるが、必ずしも使用する必要はない。
【００２２】
ここで図3〜図5を参照すると、装置200が、協働して装置200の諸コンポーネントを収容かつ支持する、上側のハウジング202と下側のハウジング204とを含むことが好ましい。下側のハウジング204が、送出ルーメン208を画定する送出プローブ206を形成することが好ましく、送出プローブ206およびルーメン208の両方が、装置200の長手方向を向いた送出軸すなわち射出軸A-Aに沿って延びる。また、下側のハウジング204が、下側の係合面もしくは係合壁212と、送出軸A-Aに沿って延びる下側の挿入通路214とを含む、下側のレンズ圧縮器もしくは下側の圧縮要素210を形成することが好ましい。
【００２３】
図8から最もよくわかるように、下側の係合面212が、送出軸A-Aに概ね平行に延びる(または交差する)平面を画定する、概ね平らな表面を含むことが好ましい。下側の挿入通路214が、下側の係合面212から、送出軸A-Aに好ましくは概ね平行に延びる下側の通路縁部218へと延びる内表面216を備えた、部分円筒形であることが好ましい。下側の挿入通路214が、送出軸A-Aに沿った、送出ルーメン208の内表面の部分後方拡張部を含むことが好ましい。下側の通路縁部218から、下側の支持表面220が、下側の係合面212とは反対の方向に延びて、面212に好ましくは概ね平行に延びる平面を画定する、概ね平らな表面を形成している。
【００２４】
再び図3〜図5と、さらに図9および図10とを参照すると、上側のレンズ圧縮器240が、下側のレンズ圧縮器210の概ね上方にスライド可能に配置される。下側および上側のレンズ圧縮器210,240は、相まって、装置200のレンズ圧縮器を形成する。図に描かれた上側のレンズ圧縮器240の実施形態は、上側の係合面242を形成しており、当該係合面が、上側のレンズ圧縮器が下側のハウジング204上の所定の位置にあるときに送出軸A-Aに概ね平行に延びる平面を画定する、概ね平らな表面を含むことが好ましい。上側のレンズ圧縮器240が、上側の挿入通路244をさらに含むことが好ましく、当該挿入通路が、上側の係合面242から、送出軸A-Aに好ましくは概ね平行に延びる上側の通路縁部248へと延びる内表面246を備えた、部分円筒形であることが好ましい(あるいは、挿入通路214,244を前方に延びるにつれて内側にテーパさせ、それによって、上側のレンズ圧縮器240が第2の圧縮位置(以下参照)に来たときに1つに集まって、円錐台または内側にテーパした他の表面を形成するようにすることもできる。挿入通路214,244のそのような構成の代わりに、またはそのような構成に加えて、送出ルーメン208の内表面を、やはり前方に延びるにつれて内側にテーパさせることもできる)。
【００２５】
他の実施形態では、送出ルーメン208を、上側のレンズ圧縮器240が第2の圧縮位置(以下参照)に来たときに1つに集まって類似の楕円形断面になるように成形された通路214,244を備える、概ね楕円形(送出軸に直角に見て)の断面にすることができる。
【００２６】
上側のレンズ圧縮器240が、それぞれ上側の係合面242および上側の挿入通路244の反対側に配置された第1および第2の上側支承表面260,262、ならびに第2の上側支承表面262から前方に延びる第3の上側支承表面264をさらに含むことが好ましい。第1、第2、および第3の上側支承表面260,262,264が、長手方向に延びる概ね平らな表面を含むことが好ましく、第1および第2の上側支承表面260,262が、上側の係合面242および/または送出軸A-Aに対して傾斜している。第1および第2の上側支承表面260,262は(少なくとも初めは)、下側のハウジング204の支持リブ270,272上に形成された、同様に傾斜した第1および第2の下側支承表面266,268に当てられて、スライド可能に配置される。
【００２７】
ここで、図3〜図5および図9〜図12を参照すると、上側のレンズ圧縮器240が、また、図に描かれた実施形態では、ユーザの親指で操作するのに適した概ね垂直に延びる部材を含む圧縮器作動装置280を形成することが好ましい。圧縮器作動装置280は、上側のハウジング202内に形成された圧縮器ガイド282内で受けられる。図示された実施形態では、圧縮器ガイド282が、「L字」構成に接合された長手方向の溝284と横方向の溝286とを含む。
【００２８】
上側および下側の支承表面262,264,266,268、ならびに圧縮器作動装置280および圧縮器ガイド282は、協働して、上側のレンズ圧縮器240を、圧縮器作動装置280が長手方向の溝284内で後方に配置されるホーム位置(図3、図4、図15参照)から、圧縮器作動装置280が長手方向の溝284内で前方に配置される、ただしまだ横方向には進められていない、第1の圧縮位置(図13、図16参照)へと、前下方に前進させる。上側のレンズ圧縮器240がこのように前進すると、上側の係合面242が下側の係合面212に対して前下方に移動し、それによって係合面212と242との鉛直間隔が縮小する。圧縮器作動装置280および圧縮器ガイド282は、同様に協働して、上側のレンズ圧縮器240を、第1の圧縮位置から、圧縮器作動装置280が長手方向の溝284から離れて横方向の溝286内で横方向に配置された第2の圧縮位置(図14、図18参照)へと、横方向に前進させる。
【００２９】
図15〜図18は、前述のIOL120などの複レンズIOLがその後の圧縮および/または挿入のために装置200内に格納または設置された状況にある、圧縮器210,240の操作を概略的に示す。図15では、上側のレンズ圧縮器240がホーム位置にあり、その際、上側の係合面242が下側の係合面212と概ね平行であることが好ましく、また、複レンズIOL120が、好ましくは視要素の光軸が互いにかつ/またはIOL120自体の光軸とほぼ一致するほぼ無応力の状態で、面212と242との間に配置される。
【００３０】
面212,242が、視要素122,124を合わせていくらか圧縮し、それによって付勢部材126,128にわずかに応力を加えているときでも、IOL120が、ほぼ無応力と見なされることに留意されたい。したがって、面212と242との間隔は、上側のレンズ圧縮器240がホーム位置にあるときに視要素122,124を合わせてわずかに圧縮するように選ぶことができる。IOL120は、また、面212,242が視要素122,124をいくらか引き離し、それによって付勢部材126,128にわずかに応力を加えているときにも、ほぼ無応力と見なされる。したがって、面212と242との間隔は、上側のレンズ圧縮器240がホーム位置にあるときに視要素122,124をわずかに引き離すように選ぶことができる。IOL120は、また、視要素122,124の一方もしくは両方の外側の面または他の部分が、面212,242と視要素との間の接着応力(この応力は、視要素122,124が光学部を含む場合に生じ得る)によって変形するか応力を受けるときにも、そのような応力がIOL120全体の状況で見ると比較的小さいので、ほぼ無応力と見なされる。
【００３１】
図示された実施形態では、係合面212,242が、視要素122,124の外側の面がそれに自己接着する傾向のある材料から構成される、概ね平らな表面を含む。例えば、アセタール(DELRIN(商標)として市販)を使用して、面212,242の一方または両方を構成することができ、この材料は、IOLを構成するために通常使用される材料(例えば、シリコーン、ポリウレタン、ヒドロゲル、アクリル、PVA、スチレン系コポリマー)の多くとの良好な接着特性を示す。言うまでもなく、IOLの接触部分との良好な接着特性を有する他の材料を、係合面212,242の形成に使用することもできる。
【００３２】
図15に描かれたホーム位置から、上側の係合面242は、矢印Bによって示したように、図16および図17に示した第1の圧縮位置へと前下方に前進する。上側の係合面が第1の圧縮位置にある状態で、IOL120は、視要素122,124が相対的に変位して同軸でなくなった、第1の圧縮状態(やはり図16および図17に示す)をとる(言い換えれば、個々の視要素の光軸OA1,OA2は、互いに一致せず、かつ/またはIOL120自体の光軸と一致しない)。図示された実施形態では、第1の圧縮状態にあるときには、視要素122,124が、第1の視要素122のいずれの部分も第2の視要素124の一部分に重ならないほどに相対的に変位している。しかし、他の実施形態では、IOL120が第1の圧縮状態にあるときにIOL120を光軸に沿って見ると、視要素122,124がいくらか重なり合うことがある(それでも同軸ではない)。同様に、図示された実施形態では、IOL120が第1の圧縮状態にあるときには、IOL120を交軸に沿って見ると、第1の視要素122のいずれの部分も第2の視要素124の一部分に重ならない。しかし、他の実施形態では、IOL120が第1の圧縮状態にあるときにIOL120を交軸に沿って見ると、視要素122,124が、いくらか重なり合う程度に相対的に変位していることがある。他の実施形態では、IOL120が第1の圧縮状態にあるときに、IOL120の全高を、光軸に沿って測定したときに、第1および第2の視要素122,124の全高以下にすることができる。図16および図17に描かれた実施形態では、IOL120の高さが、光軸に沿って測定したときに、第1および第2の視要素122,124の高さの合計にほぼ等しい。
【００３３】
図17から最もよくわかるように、上側のレンズ圧縮器240が第1の圧縮位置にあるときに、上側の通路縁部248が下側の係合面212と接触することが好ましく、下側の通路縁部218が上側の係合面242と接触することが好ましい。特定の実施形態では、また、下側の支持表面220も、上側の係合面242と接触させることができる。望むなら、何らかの適切な潤滑剤を使用して、第1の圧縮状態にあるときにIOL120を潤滑化することができる。潤滑剤は、IOL120をさらに圧縮するのに役立つであろう。
【００３４】
第1の圧縮位置から、上側のレンズ圧縮器240を第2の圧縮位置(図14、図18参照)へと横方向に前進させることができる。上側のレンズ圧縮器240がそのように進められると、上側の係合面242、内表面246、および/または上側の挿入通路244が、IOL120を内表面216および下側の挿入通路214に向かって概ね横方向に押し進める。図18から最もよくわかるように、上側のレンズ圧縮器240が第2の圧縮位置にあるときには、上側の挿入通路244が、下側の挿入通路214に隣接して配置されて、それらの通路が、送出ルーメン208の後方拡張部を形成する、送出軸A-Aをほぼ中心としたほぼ完全な円筒を形成することが好ましい。したがって、内表面216,246および挿入通路214,244は、IOL120を「圧潰して」、図18に示した第2の圧縮状態にする。
【００３５】
図3〜図5および図9ならびに図10をさらに参照すると、装置200が、送出軸A-Aに沿って配置された概ね円筒状の駆動部材290をさらに含むことが好ましい(送出ルーメン208が楕円形断面である場合、駆動部材290を同様の楕円形断面にすることができる)。駆動部材290の後端部は、その片側にラック歯294を形成するラック292に連結される。ピニオン歯車296は、下側のハウジング204から上方に突き出たピニオン歯車軸受298上に回転可能に据え付けられる。ピニオン歯車296は、図19および図20にさらに詳細に示されているが、その下側に、ピニオン歯302を含むピニオンギア300を形成しており、当該ピニオン歯は、格納位置(図4、図13および図14に示す)から最も前側のラック歯294がピニオン歯302に係合する待機位置(図示せず)へとラック292および駆動部材290が手動で前方に進められたときに、ラック歯294と噛み合うように構成される。ラック294および駆動部材290が待機位置に到達したら、ユーザは、ピニオン歯車296の外表面上に形成されたギザギザ304によってピニオン歯車296を操作して、ラック294および駆動部材を装置200内で長手方向前方に前進させることができる。これが実施されると、ピニオン歯車296の内表面上に形成されたラチェット歯(ratchet cogs)306が、上側のハウジング202上に形成されたラチェット歯止め(ratchet pawl)308と協働して、ピニオン歯車296の逆回転、またはラック294および駆動部材290の後退運動を妨げる。
【００３６】
IOL120が既に圧縮されて第2の圧縮形態にある場合(または他の何らかの形で、下側の挿入通路214内、もしくは上側のレンズ圧縮器240が第2の圧縮位置にあるときには挿入通路214と244との間に配置される場合)、駆動部材290がこのように前方に移動すると、当該駆動部材の前端部が下側の挿入通路内(または、上側のレンズ圧縮器240が第2の圧縮位置にあるときには挿入通路214と244との間)を前進し、それによってIOL120が前方に押し進められて、送出プローブ206の送出ルーメン208へと到達する。次いで、駆動部材がさらに前進すると、送出プローブ206の前端部からIOLが押し出される。
【００３７】
特に指定のない限り、装置200の諸コンポーネントは、ABSなどのプラスチックを含め、いずれか適切な硬質材料から形成することができる。圧縮/送出の間のIOLの視認性を高めるために、下側のハウジング204(あるいは少なくとも、下側のレンズ圧縮器210および/または送出プローブ206)を、透明ポリカーボネートなど、透き通ったプラスチックから形成することができる。
【００３８】
したがって、装置200を使用して、IOL120などのIOLを、ヒトの眼などの眼の中に送出または挿入することができる。その際、ユーザ/医師は、初めに、いずれか適切な技術によって、例えば眼の前部構造に1つもしくは一連の小さな切開創を作ることによって、眼の中の挿入場所(例えば、水晶体嚢(capsular bag)や前房など)にアクセスする。必要ならば、水晶体乳化術(phacoemulsification)などの適切な技術によって、自然の水晶体が除去される。医師は、好ましくは以上で詳述したIOLの圧縮後に、また望むなら、IOLを送出プローブ206のルーメン208内でいくらか前進させた後で、(1つもしくは複数の)切開創を通じて、送出プローブ206の前端部を挿入する。送出プローブの端部を適所に置いて、医師は、プローブ206からIOLを押し出し、それによってIOLを眼に挿入する(装置200を用いることによって、ハウジング202/204を開けることなく、または他の何らかの形でIOLに手でアクセスすることなく、圧縮および送出を実施することができる)。プローブ206から出ると、IOLは、その弾性によって「圧縮状態から広がって」、ほぼその無応力状態に戻る。次いで、医師は、プローブ206を引き抜き、必要ならば、眼の中のIOLの位置決めを調節する。IOLが満足のいくように位置決めされたら、医師は、(1つもしくは複数の)切開創を閉じて、作業を完了する。
【００３９】
図21〜図29は、眼内レンズを圧縮かつ/または挿入する装置400の他の実施形態を示す。一実施形態では、装置400が、以下でさらに詳述することを除いて、図3〜図20に描かれた前述の装置200に概ね類似している。特に指定のない限り、装置400の諸コンポーネントは、ABSなどのプラスチックを含め、いずれか適切な硬質材料から形成することができる。
【００４０】
装置400が、協働して装置400の諸コンポーネントを収容かつ支持する、上側のハウジング402と下側のハウジング404とを含むことが好ましい。下側のハウジング404内には、送出ルーメン408を画定する送出プローブ406を形成するインジェクタプレート405が配置されており、送出プローブ406およびルーメン408の両方が、装置400の長手方向を向いた送出軸もしくは射出軸A-Aに沿って延びる。また、インジェクタプレート405は、下側の係合面もしくは係合壁412と、送出軸A-Aに沿って延びる下側の挿入通路414とを含む、下側のレンズ圧縮器もしくは下側の圧縮要素410を形成する。
【００４１】
図24から最もよくわかるように、下側の係合面412が、送出軸A-Aに概ね平行に延びる(または交差する)平面を画定する、概ね平らな表面を含むことが好ましい。下側の挿入通路414が、下側の係合面412から、送出軸A-Aに好ましくは概ね平行に延びる下側の通路縁部418へと延びる内表面416を備えた、部分円筒形であることが好ましい。下側の挿入通路414が、送出軸A-Aに沿った、送出ルーメン408の内表面の部分後方拡張部を含むことが好ましい。下側の通路縁部418から、下側の支持表面420が、下側の係合面412とは反対の方向に延びて、面412に概ね平行に延びる平面を画定する、概ね平らな表面を形成している。図示された実施形態では、下側の支持表面が、下側の支持表面420から下側の挿入通路414とは反対側に延びる下側の側面422に対して、わずかに高い位置にある。望むなら、圧縮の間のIOLの潤滑化を促進するために、下側のレンズ圧縮器410と流体連通する、潤滑剤用開口部424および潤滑フィッティング426を設けることができる。
【００４２】
開口部424は、また、圧縮/送出プロセスの様々な段階で、装置400内のIOLの視認性を高める。圧縮/送出の間のIOLの視認性をさらに高めるために、下側のハウジング404内に窓もしくは開口部407を形成することができ(図21、図22、図28参照)、下側の係合面412(もしくはインジェクタプレート405全体)を透明な材料から形成することができる。インジェクタプレート405全体が透明な材料から構成される場合、送出プローブ406内でIOLの圧縮後の状態を見ることができる。
【００４３】
再び図21および図22と、さらに図25および図26とを参照すると、上側のレンズ圧縮器440が、下側のレンズ圧縮器410の概ね上方にスライド可能に配置される。下側および上側のレンズ圧縮器410,440は、相まって、装置400のレンズ圧縮器を形成する。上側のレンズ圧縮器440は、上側の係合面442を形成しており、当該係合面が、上側のレンズ圧縮器が下側のハウジング404上の所定の位置にあるときに送出軸A-Aに概ね平行に延びる平面を画定する、概ね平らな表面を含むことが好ましい。上側のレンズ圧縮器440が、上側の挿入通路444をさらに含むことが好ましく、当該挿入通路が、上側の係合面442から、送出軸A-Aに好ましくは概ね平行に延びる上側の通路縁部448へと延びる内表面446を備えた、部分円筒形であることが好ましい(あるいは、挿入通路414,444を前方に延びるにつれて内側にテーパさせ、それによって、上側のレンズ圧縮器440が第2の圧縮位置(以下参照)にきたときに1つに集まって、円錐台または内側にテーパした他の表面を形成するようにすることもできる。挿入通路414,444のそのような構成の代わりに、またはそのような構成に加えて、送出ルーメン408の内表面を、やはり前方に延びるにつれて内側にテーパさせることもできる)。
【００４４】
他の実施形態では、送出ルーメン408を、上側のレンズ圧縮器440が第2の圧縮位置(以下参照)にきたときに1つに集まって類似の楕円形断面になるように成形された通路414,444を備える、概ね楕円形の断面(送出軸に直角に見て)にすることができる。
【００４５】
上側のレンズ圧縮器440が、それぞれ上側の係合面442および上側の挿入通路444の反対側に配置された第1および第2の上側支承表面460,462をさらに含むことが好ましい。第1および第2の上側支承表面460,462が、長手方向に延びる、上側の係合面242および/または送出軸A-Aに対して傾斜した、概ね平らな表面を含むことが好ましい。第1および第2の上側支承表面460,462は(少なくとも初めは)、下側のハウジング404の支持リブ470,472上に形成された、同様に傾斜した第1および第2の下側支承表面466,468に当てられて、スライド可能に配置される(図29参照)。上側のレンズ圧縮器440は、圧縮器作動装置480上に形成された接点タブ452と噛み合う接点溝450をさらに含む。
【００４６】
図27および図28は、圧縮器作動装置480の好ましい一構成を示す。作動装置480が、概ね長手方向のハンドル481と概ね横方向のガイドリブ483とを有する一体部材を含むことが好ましい。スプリング部材485は、圧縮器作動装置480の上側表面に形成された開口部をまたいで横方向に延び、その自由端にスプリングタブ487を形成する。圧縮器作動装置480の上側表面から概ね上方に向かって、いくつかのガイド突起489が延びており、当該ガイド突起の上端部が、上側のハウジング402の上側内表面上に形成された、対応する圧縮器ガイド482(図22参照)内に配置される。図示された実施形態では、各圧縮器ガイド482が、「L字」構成に接合された概ね長手方向の溝484と概ね横方向の溝486とを含む。(1つもしくは複数の)横方向の溝486は、単に横方向だけに延ばすことができ、または(図に描かれた実施形態では)、わずかに前方に曲げて、対応する(1つもしくは複数の)長手方向の溝484との角度を90度よりもわずかに大きくすることができる。
【００４７】
ゆえに、圧縮器作動装置480は、上側のレンズ圧縮器440を、一連の運動(装置200の上側のレンズ圧縮器240の運動に類似)にわたって、ホーム位置と、第1の圧縮位置と、第2の圧縮位置との間で移動させ、かつガイドするために使用される。上側のレンズ圧縮器440は、ホーム位置では、第1の上側支承表面460が第1の下側支承表面466上に置かれ、かつ表面466/リブ470内に形成された隙間474をまたぎ、第2の上側支承表面462が第2の下側支承表面468上に置かれた状態で、リブ470,472上の後方に配置される。一実施形態では、上側のレンズ圧縮器440がホーム位置にあるときには、表面460および466の後縁部(ならびに/または表面462および468の後縁部)が位置合わせされる。
【００４８】
ホーム位置から、ハンドル481の適切な操作によって、作動装置480および圧縮器440を、第1の上側支承表面460が依然として第1の下側支承表面466上で、ただし隙間474の前方にあり、第2の上側支承表面462が第2の下側支承表面468から前方に変位して、もはやこの第2の下側支承表面上にない、第1の圧縮位置へと、長手方向前方に移動させることができる。加えて、横方向のガイドリブ483は、隙間474と長手方向に位置合わせされ、または隙間474の前方に位置合わせされ、それによって(その後の)作動装置480および圧縮器440の横方向内側への移動を可能にしており、また、ガイド突起489は、対応する圧縮器ガイド482(図22参照)の長手方向の溝484の前端部に配置される。第1の圧縮位置は、一実施形態では、さらに、装置200に関して図16および図17に描かれたのと類似の形で、圧縮器410,440、支承面412,442、通路414,444、縁部418,448などの相対的な状態によって特徴付けられる。他の実施形態では、第1の圧縮位置は、さらに、上側のレンズ圧縮器440の前縁部と下側のハウジング404上に形成された停止部材476との間の接触によって特徴付けられる。
【００４９】
第1の圧縮位置から、作動装置480および圧縮器440を第2の圧縮位置へと概ね横方向内側に移動させることができる。第2の圧縮位置は、一実施形態では、装置200に関して図18に描かれたのと同様に、圧縮器410,440、支承面412,442、通路414,444、縁部418,448などの相対的な状態によって特徴付けられる。圧縮器440および作動装置480が横方向内側に前進するにつれて、それらの運動は、第2の圧縮位置に到達するまで、ガイド突起489と対応する圧縮器ガイド482の横方向の溝486との相互作用によって案内される。加えて、横方向のガイドリブ483は、隙間474を通って横方向に移動して、ハウジング402,404内に入る。一実施形態では、作動装置480のスプリング部材485およびスプリングタブ487が、横方向内側に十分に移動して、タブ487の外縁部を上側のハウジング402上に形成された係止リッジ488(図22参照)の内縁部に係合させる。スプリング部材485は、タブ487とリッジ488との係合が外れるのを防ぎ、それによって、第2の圧縮位置に達してからの作動装置480および上側のレンズ圧縮器440の逆向き/横方向外側への移動を防ぐ。次にはこれが、第2の圧縮位置で上側および下側の挿入通路414,444が出合うところでの堅固な安定した「円筒」の形成を確実にし、さらに、「円筒」から送出プローブ406への圧縮されたIOLの滑らかな長手方向の前進を確実にする。使用される場合、スプリング部材485、タブ487、およびリッジ488がやはり協働して、装置400を使い捨てデバイスにし、それによって、無菌性やIOLタイプの適合性などについての工場管理基準を、装置400の使用ごとに確実に適用できるようにする。
【００５０】
図21および図22をさらに参照すると、装置400は、送出軸A-Aに沿って配置された概ね円筒状の駆動部材490をさらに含む(送出ルーメン408が楕円形断面である場合、駆動部材490を同様の楕円形断面にすることができる)。駆動部材490の後端部は、上側のハウジング402と下側のハウジング404との間にスライド可能に配置されるプランジャ491内で受けられる。下側のハウジング404は、送出軸A-A上に位置する駆動部材ガイド493を形成する。プランジャ491の適切な操作によって、駆動部材490は、駆動部材490の前端が駆動部材ガイド493内に位置する引込んだ位置(図23参照)から、下側の挿入通路414内(または、上側のレンズ圧縮器440が第2の圧縮位置にあるときには挿入通路414と444との間)を通って長手方向前方に移動可能であり、それによって、IOL120を前方に押し進めて、送出プローブ406の送出ルーメン408へと到達させる。次いで、駆動部材がさらに前進すると、送出プローブ406の前端部からIOLが押し出される。
【００５１】
スプリング495、ワッシャ497、およびO-リング499を、駆動部材ガイド493とプランジャ491との間で、駆動部材490の周りに配置することができる。加えて、上側および/または下側のハウジング402/404上にフィンガグリップ501を設けて、プランジャ491の後部に親指を置き、かつ各フィンガグリップ501上に他の指の1本を置いた「注射器」方式で、装置400を親指と他の指の間で保持するのを容易にすることもできる。この配置は、同様に、下側の挿入通路414内に位置したIOLを送出/挿入するときの装置400の片手操作を容易にする。スプリング495は、ユーザがプランジャ491によって駆動部材490を前方に押し進めているときに抵抗および触覚フィードバックをもたらすが、望むなら、スプリング495およびプランジャ491を、プランジャ491の前端部が送出ルーメン408に進入してから隣接した関係になるように(また、それによってこの抵抗/フィードバックをもたらすように)サイズ設定することができる。
【００５２】
したがって、装置400を使用して、IOL120などのIOLを、ヒトの眼などの眼の中に送出または挿入することができる。その際、ユーザ/医師は、初めに、いずれか適切な技術によって、例えば眼の前部構造に1つもしくは一連の小さな切開創を作ることによって、眼の中の挿入場所(例えば、水晶体嚢や前房など)にアクセスする。必要ならば、水晶体乳化術などの適切な技術によって、自然の水晶体が除去される。医師は、好ましくは以上で詳述したIOLの圧縮後に、また望むなら、IOLを送出プローブ406のルーメン408内でいくらか前進させた後で、(1つもしくは複数の)切開創を通じて、送出プローブ406の前端部を挿入する。送出プローブの端部を適所に置いて、医師は、プローブ406からIOLを押し出し、それによってIOLを眼に挿入する(装置400を用いることによって、ハウジング402/404を開けることなく、または他の何らかの形でIOLに手でアクセスすることなく、圧縮および送出/挿入を実施することができる)。プローブ406から出ると、IOLは、その弾性によって「圧縮状態から広がって」、ほぼその無応力状態に戻る。次いで、医師は、プローブ406を引き抜き、必要ならば、眼の中のIOLの位置決めを調節する。IOLが満足のいくように位置決めされたら、医師は、(1つもしくは複数の)切開創を閉じて、作業を完了する。
【００５３】
本明細書に開示の装置200/400の様々な実施形態は、有利には、医師がIOLを取り扱い、または手でIOLを挿入デバイスに装入する必要なしに、IOLを患者の眼の中に送り込むのを容易にする。例えば、装置200/400の製造/組立ての間に、IOLを当該装置のレンズ圧縮器内(例えば、上側のレンズ圧縮器と下側のレンズ圧縮器との間)に位置決めすることができる。次いで、このようにIOLがレンズ圧縮器内部に配置された状態の装置200/400を、製造の時点で、またはその後のいずれかの場所で、1つのユニットとして殺菌することができる。適切な場合には、殺菌された装置-IOLアセンブリを、使用場所(もしくは使用時点)に達するまで当該装置-IOLアセンブリをその中に留めることのできる、無菌のパッケージ、包装紙、袋、封筒などの中に納めることができる(パッケージに入れる前および/または後などに装置-IOLアセンブリを殺菌することができる)。このことがさらに、装置200/400に納められたIOLの埋込みに携わる医療従事者にとって簡単な使用時点処置を促進しており、包装を開けた後、医師または他の医療従事者は、IOLを装置から取り出すことなく(必要なく)、前述の装置200/400を使用してIOLを圧縮かつ挿入することができる。したがって、いずれも困難でうんざりする場合があり、またIOLの無菌性を低下させる場合のある、使用時点でIOLを取り扱う必要または手でIOLを挿入デバイスに装入する必要がない。
【００５４】
図30〜図32は、前述した概ね平らな表面の代わりに、または当該表面に加えて、下側および上側の係合面212/412,242/442の一方もしくは両方と併せて使用できる、代替的な構造を示す。例えば、図31は、面212/412,242/442内に形成された1つもしくは複数のポケット550,552の使用を示す。ポケット550,552は、各視要素124,122を把持するのに適した形状に(例えば、ほぼ円筒形もしくは球形のシェルの一部として、または長方形もしくは他の多角形の外形を与えて)成形することができる。他の実施形態では、(1つもしくは複数の)ポケット550,552を、視要素の外側の面を構成するのに使用される(1つもしくは複数の)材料に対して接着親和性を有する、前述した材料のいずれかなどの材料から形成することができる。
【００５５】
図31および図32に見られるように、(1つもしくは複数の)係合面212/412,242/442と併せて、真空グリップ560,562を使用することができる。図示された実施形態では、各真空グリップ560,562が、(1つもしくは複数の)視要素124,122それぞれに接するように位置決めされた(1つもしくは複数の)係合面212/412,242/442それぞれに形成されたリリーフ穴568と流体連通する真空チャンバ566を収容する、ドーム状ボタン564を含む。ゆえに、(1つもしくは複数の)ボタン564を押し下げると、リリーフ穴568から空気が追い出され、(1つもしくは複数の)ボタン564の十分な復元特性が(1つもしくは複数の)ボタン564をそれらの元の位置へと押し戻す。それによって(1つもしくは複数の)真空チャンバ566内で生み出される負圧が、(1つもしくは複数の)視要素124,122を(1つもしくは複数の)係合面212/412,242/442に当てて引き付ける。視要素がそのように把持された状態で、圧縮器210/410,240/440を相対的に移動させて、IOL120を図32に示した第1の圧縮形態に置くことができる。
【００５６】
他の代替形態として、係合面212/412,242/442の一方または両方を、視要素122,124に係合するように適切に粗面処理することもできる。表面のそのような粗面処理は、単独で使用することができ、または、本明細書で論じた、係合面212/412,242/442を構成する代替形態のいずれかと併せて使用することができる。一実施形態では、問題の表面が砂で研磨されるが、一例として、100グリットの紙やすりを使用することができる。他の実施形態では、表面にリブやギザギザなどを設けることができる。
【００５７】
装置200/400の他の実施形態では、下側のハウジング204/404、下側のレンズ圧縮器210/410、および/または上側のレンズ圧縮器240/440を、上側のレンズ圧縮器210/410が第1の圧縮位置から第2の圧縮位置にしか移動できないように構成することができる。言い換えれば、第1の圧縮位置は、すでに記載した方式で第1の圧縮位置から第2の圧縮位置へと移動できる上側のレンズ圧縮器240/440の「出発」場所として、ホーム位置に置き替わる。望むなら、ホーム位置と第1の圧縮位置との間の上側のレンズ圧縮器210の長手方向の移動を促進するものとして前述した構造のいずれかまたはすべてを、省略することができる。前述した装置200/400の構造および機能のバランスが残っていることが好ましい。
【００５８】
このような改変装置200/400は、(これだけに限るものではないが)前述のIOL100など、単レンズIOLを圧縮かつ/または挿入するのに特に有用である。あるいは、(これだけに限るものではないが)前述のIOL120など、複レンズIOLをこの改変装置によって圧縮かつ/または挿入することもできる。一実施形態では、上側のレンズ圧縮器が第1の圧縮位置(やはり上側のレンズ圧縮器の「出発」場所)にあるときに、複レンズIOLが、前述の第1の圧縮状態にある圧縮器内に配置または格納される。他の実施形態では、上側のレンズ圧縮器が第1の圧縮位置にあるときに、複レンズIOLが、前述したほぼ無応力の状態の圧縮器内に配置または格納される。
【００５９】
本発明を特定の好ましい諸実施形態および諸実施例の状況で開示したが、本発明が、具体的に開示した実施形態以外の、本発明の他の代替的な実施形態および/または使用、ならびにそれらの自明の修正形態および同等形態に及ぶことが、当業者には理解されよう。ゆえに、本明細書に開示した本発明の範囲は、以上で開示した特定の実施形態だけに制限されず、特許請求の範囲を適正に読むことによってのみ決定されるものとする。
【図面の簡単な説明】
【００６０】
【図１】あるタイプの単レンズIOLの正面図である。
【図２】あるタイプの複レンズIOLの側面図である。
【図３】眼内レンズを圧縮かつ/または挿入する装置の一実施形態の斜視図である。
【図４】わかりやすくするために上側のハウジング部分が除去された図3の装置の斜視図である。
【図５】図3の装置の分解組立図である。
【図６】図3の装置の下側のハウジングの斜視図である。
【図７】図3の装置の下側のハウジングの第2の斜視図である。
【図８】図3の装置の下側のハウジングの第3の斜視図である。
【図９】図3の装置の上側のレンズ圧縮器の斜視図である。
【図１０】図3の装置の上側のレンズ圧縮器の第2の斜視図である。
【図１１】図3の装置の上側のハウジングの斜視図である。
【図１２】図3の装置の上側のハウジングの第2の斜視図である。
【図１３】わかりやすくするために上側のハウジング部分が除去され、上側のレンズ圧縮器が第1の圧縮位置へと移動した図3の装置の斜視図である。
【図１４】わかりやすくするために上側のハウジング部分が除去され、上側のレンズ圧縮器が第2の圧縮位置へと移動した図3の装置の斜視図である。
【図１５】上側のレンズ圧縮器がホーム位置にある図3の装置の概略側断面図である。
【図１６】上側のレンズ圧縮器が第1の圧縮位置にある図3の装置の概略側断面図である。
【図１７】上側のレンズ圧縮器が第1の圧縮位置にある図3の装置の概略正面断面図である。
【図１８】上側のレンズ圧縮器が第2の圧縮位置にある図3の装置の概略正面断面図である。
【図１９】図3の装置のピニオン歯車の上方斜視図である。
【図２０】図3の装置のピニオン歯車の下方斜視図である。
【図２１】眼内レンズを圧縮かつ/または挿入する装置の第2の実施形態の分解組立図である。
【図２２】図21の装置の第2の部分分解組立図である。
【図２３】わかりやすくするために上側のハウジングが除去された、図21の装置の斜視図である。
【図２４】図21の装置のインジェクタプレートの斜視図である。
【図２５】図21の装置の上側のレンズ圧縮器の斜視図である。
【図２６】図21の装置の上側のレンズ圧縮器の第2の斜視図である。
【図２７】図21の装置の圧縮器作動装置の斜視図である。
【図２８】図21の装置の圧縮器作動装置の第2の斜視図である。
【図２９】図21の装置の下側のハウジングの斜視図である。
【図３０】開示した装置と共に使用するための代替的な係合面の概略断面図である。
【図３１】開示した装置と共に使用するための真空タイプの係合面の概略斜視図である。
【図３２】上側のレンズ圧縮器が第1の圧縮位置にある、開示した装置と共に使用するための真空タイプの係合面の概略断面図である。
【符号の説明】
【００６１】
100  単レンズ
102  光学部
120  複レンズ
122,124  視要素
200,400  装置
202,402  上側のハウジング
204,404  下側のハウジング
206,406  送出プローブ
210,410  下側のレンズ圧縮器
240,440  上側のレンズ圧縮器
280,480  圧縮器作動装置
296  ピニオン歯車
290,490  駆動部材
【図１】
0004597957.tif 000002
【図２】
0004597957.tif 000003
【図３】
0004597957.tif 000004
【図４】
0004597957.tif 000005
【図５】
0004597957.tif 000006
【図６】
0004597957.tif 000007
【図７】
0004597957.tif 000008
【図８】
0004597957.tif 000009
【図９】
0004597957.tif 000010
【図１０】
0004597957.tif 000011
【図１１】
0004597957.tif 000012
【図１２】
0004597957.tif 000013
【図１３】
0004597957.tif 000014
【図１４】
0004597957.tif 000015
【図１５】
0004597957.tif 000016
【図１６】
0004597957.tif 000017
【図１７】
0004597957.tif 000018
【図１８】
0004597957.tif 000019
【図１９】
0004597957.tif 000020
【図２０】
0004597957.tif 000021
【図２１】
0004597957.tif 000022
【図２２】
0004597957.tif 000023
【図２３】
0004597957.tif 000024
【図２４】
0004597957.tif 000025
【図２５】
0004597957.tif 000026
【図２６】
0004597957.tif 000027
【図２７】
0004597957.tif 000028
【図２８】
0004597957.tif 000029
【図２９】
0004597957.tif 000030
【図３０】
0004597957.tif 000031
【図３１】
0004597957.tif 000032
【図３２】
0004597957.tif 000033